(57)【特許請求の範囲】
【請求項１】
冷媒を貯留する冷媒を貯留する貯水皿（３）の周囲の壁を間隔を空けて二重にし、内壁（13）の高さを必要とする液面の高さにし、外壁（14）を内壁（13）より高くし、給液口（７）を内壁の中に給液できる位置に設けると共に、排液口（８）を内壁（13）と外壁（14）の間から排液できる位置に設け、かつ走行台車（４）の上に４本の支柱（16a 、16b 、16c 、16d ）を立て、これらの柱に平行四辺形リンク機構で貯水皿（３）を揺動自在に支持し、走行台車（４）と貯水皿（３）との間に貯水皿（３）をライン長手方向に移動するシリンダー（６）を設けたことを特徴とするエンボスロール装置の冷却装置。
【請求項２】
貯水皿（３）の周囲の壁を間隔を空けて二重にし、内壁（13）の高さを必要とする液面の高さにし、外壁（14）を内壁（13）より高くし、給液口（７）を内壁の中に給液できる位置に設けると共に、排液口（８）を内壁（13）と外壁（14）の間から排液できる位置に設け、かつ貯水皿（３）を貯水皿用走行台車（22) に搭載し、走行台車（４）と貯水皿用走行台車（22）との間に中間床（23）を設けると共に、少なくともこの中間床（23）と貯水皿用走行台車（22）との間を上下動することができる支持台（25) を設け、支持台（25) と走行台車（４）と間に支持台（25) を上下動するシリンダー（６）を設けたことを特徴とするエンボスロール装置の冷却装置。
【発明の詳細な説明】
【０００１】
【産業上の利用分野】
本発明は、プラスチックフィルムを製造するためのカレンダー設備におけるカレンダーロール下流に設置するエンボスロール装置の冷却装置に関する。
【０００２】
【従来の技術】
従来のエンボスロール装置の冷却装置は、図７に示すようにプラスチックフィルム(27)上面にマーキングをするエンボスロール（１）と、このエンボスロール（１）の下側に位置し、水などの冷媒（５）に接触し、該プラスチックフィルムを冷却するラバーロール（２）と、シリンダー（６）によって上下動し、冷媒（５）を貯留する一重壁の貯水皿（３）と、貯水皿（３）に給液口（７）及びバルブ（９）を通して冷媒（５）を供給するポンプ（11）、貯水皿（３）から排液口（８）及びバルブ(10)を通して冷媒（５）をポンプ（11）に戻す回路、これらの設備などを搭載する走行台車（４）からなっており、貯水皿（３）の水面を一定の高さに保つために、冷媒を給水する側のバルブ（９）と排出側のバルブ（10）を調節していた。また、エンボスロール（１）及びラバーロール（２）を交換又は保守作業する場合には、床面（30) 上に敷かれたレール (31) 上を走行する走行台車（４）をラインと直角方向に引き出し、シリンダー（６）によって貯水皿（３）を下降させ後エンボスロール（１）及びラバーロール（２）を交換又は保守作業をしていた。
【０００３】
【発明が解決しようとする課題】
しかしながら、上記従来のエンボスロール装置の冷却装置は、貯水皿（３）の水面を一定の高さに保つために、冷媒を給水する側のバルブ（９）と排出側のバルブ（10）を調節しているので、液面の高さを一定に保つためには各バルブ（９、10）を微妙に調節する必要があった。また貯水皿（３）中の冷媒（５）は貯水皿（３）の昇降時及び走行台車（４）の走行時に飛散し、冷媒の消費が多くなり、また周辺の設備を汚すので、清掃が必要であるなどの欠点があった。
さらに、エンボスロール（１）及びラバーロール（２）を交換又は保守作業する場合、貯水皿（３）が直下にあるので、交換又は保守作業が困難であるという欠点があった。
本発明は、貯水皿中の冷媒の液面の高さを一定に保つことができ、また冷媒が周囲に飛散しない貯水皿を提供すると共に、エンボスロール及びラバーロールを交換又はメンテナンスする場合、貯水皿が邪魔にならないようにしたエンボスロール装置を提供することを目的としている。
【０００４】
【課題を解決するための手段】
上記目的を達成するために、本発明のエンボスロール装置の冷却装置においては、貯水皿（３）の周囲の壁を間隔を空けて二重にし、内壁（13）の高さを必要とする液面の高さにし、外壁（14）を内壁（13）より高くし、給液口（７）を内壁の中に給液できる位置に設けると共に、排液口（８）を内壁（13）と外壁（14）の間から排液できる位置に設け、かつ走行台車（４）の上に４本の支柱（16a 、16b 、16c 、16d ）を立て、これらの柱に平行四辺形リンク機構で上記貯水皿（３）を揺動自在に支持し、走行台車（４）と貯水皿（３）との間に貯水皿（３）をライン長手方向に移動するシリンダー（６）を設けたものとすることである。
【０００５】
また、上記目的を達成するために、本発明のエンボスロール装置の冷却装置においては、貯水皿（３）の周囲の壁を間隔を空けて二重にし、内壁（13）の高さを必要とする液面の高さにし、外壁（14）を内壁（13）より高くし、給液口（７）を内壁の中に給液できる位置に設けると共に、排液口（８）を内壁（13）と外壁（14）の間から排液できる位置に設け、かつ上記貯水皿（３）を貯水皿用走行台車（22) に搭載し、走行台車（４）と貯水皿用走行台車（22）との間に中間床（23）を設けると共に、少なくともこの中間床（23）と貯水皿用走行台車（22）との間を上下動することができる支持台（25) を設け、支持台（25) と走行台車（４）と間に支持台（25) を上下動するシリンダー（６）を設けたものとすることである。
【０００６】
【作用】
本発明においては、貯水皿の周囲の壁を間隔を空けて二重にし、内壁の高さを必要とする液面の高さにし、外壁を内壁より高くし、給液口を内壁の中に給液できる位置に設けると共に、排水口を内壁と外壁の間に設けたことにより、給液口から冷媒を供給して内壁の中が満杯になると、オーバーフローするので、液面高さは常に一定になる。また外壁を設けると共に、外壁を内壁より高くしたことにより、溶媒の飛沫が貯水皿の外に飛散することがない。
また、本発明においては、貯水皿をエンボスロール及びラバーロールの直下からライン長手方向に移動する装置を設けたことにより、エンボスロール及びラバーロールの交換又は保守作業をする場合、貯水皿をライン長手方向に移動することにより、これらのロールの直下で作業をすることができるので、作業を能率的に行うことができる。
【０００７】
また、本発明においては、走行台車の上に４本の支柱を立て、これらの支柱に平行四辺形リンク機構で貯水皿を揺動自在に支持し、走行台車と貯水皿との間に貯水皿をライン長手方向に移動するシリンダーを設けた装置としたことにより、シリンダーを伸ばすだけで貯水皿を水平に保たれたままでエンボスロール及びラバーロールの直下からライン長て方向に移動することができる。
さらに、本発明においては、貯水皿を貯水皿用走行台車に搭載し、走行台車と貯水皿用走行台車との間に中間床を設けると共に、少なくともこの中間床と貯水皿用走行台車との間を上下動することができる支持台を設け、この支持台と走行台車との間に支持台を上下動するシリンダーを設けたことにより、シリンダーを収縮することにより、貯水皿用走行台車を中間床の上に置くことができるので、貯水皿を手動又は他の駆動装置により簡単に移動させることができる。
【０００８】
【実施例】
以下本発明の実施例について図面を参照して説明する。
実施例１
図１は本発明の一実施例のエンボスロール装置の冷却装置の正面図、図２は図１に示したものの側面図、図３はこの実施例のものを説明するための説明図である。
【０００９】
本発明の一実施例のエンボスロール装置の冷却装置は、図１〜図３に示すように走行台車（４）、走行台車（４）上に固定されたハウジング(12a、12b)、このハウジング(12a、12b)に支持されたエンボスロール（１）、ラバーロール（２）などからなるエンボスロール装置の走行台車（４）上に固定された４本の支柱（16a 、16b 、16c 、16d ( 図示されていない。))、これらの支柱に支持されている平行四辺形リンク機構(17)、この平行四辺形リンク機構(17)によって揺動自在に支持されている貯水皿（３）、この貯水皿（３）と該走行台車（４）との間に設けられ、貯水皿（３）をライン長さ方向に移動するシリンダー（６）などからなるものである。
【００１０】
４本の支柱（16a 、16b 、16c 、16d ）に支持され、貯水皿（３）を揺動自在に支持している平行四辺形リンク機構(17)は、支柱(16a) と支柱(16b) 間及び支柱(16c) と支柱(16d) 間に設けた２本の軸（18a 、18b)、この２本の軸（18a 、18b)に支持され、支柱(16a) と支柱(16c) 及び支柱(16b) と支柱(16d) 間を連結する２本の連結杆(19a、19b)、一端が２本の軸（18a 、18b)に回転自在に支持され、他端が貯水皿（３）の外壁に固定した４本の支持ピン（21a 、21b 、21c 、21d)に回転自在に取り付けた４本のレバー（20a 、20b 、20c 、20d)とからなっており、シリンダー（６）を伸縮することにより、貯水皿（３）を２本の軸（18a 、18b)を支点にして揺動することができるようになっているものである。
【００１１】
冷媒を貯留する貯水皿（３）は、外壁（14）の内側に間隔を空けて内壁（13）が設けられ、内壁（13）の内側の底に冷却水を供給する給液口（７）が設けられると共に、外壁（14）と内壁（13）との間の底に排液口（８）が設けられたもので、内壁（13）の高さはラバーロール（２）を冷却するのに必要な液面高さと同じ高さになっており、また外壁（14）の高さは内壁（13）より高くなっている。また外壁（14）の上部は冷却水が飛散するおを防止するためには内側に折り曲げた形状になっているものである。
【００１２】
次に、上記実施例に示したエンボスロール装置の冷却装置の使用方法を図３を参照して説明すると、エンボスロール（１）及びラバーロール（２）を交換又は保守作業する必要が生じると、走行台車（４）をラインから直角方向に作業場所に引出し、シリンダー（６）を伸長して貯水皿（３）を二点鎖線の位置に移動し、交換又は保守作業をし、この作業を終了した後シリンダー（６）を収縮させて実線の位置に戻し、走行台車（４）を元のラインの位置に移動して作業を終了する。
【００１３】
実施例２
図４は本発明の他の実施例のエンボスロール装置の冷却装置の正面図、図５は図４に示したものの側面図、図６はこの実施例のものを説明するための説明図である。
本発明の他の実施例のエンボスロール装置の冷却装置は、図４〜図６に示すように走行台車（４）、走行台車（４）上に固定されたハウジング(12a、12b)、このハウジング(12a、12b)に支持されたエンボスロール（１）、ラバーロール（２）などからなるエンボスロール装置の走行台車（４）上に固定された中間床（23）、貯水皿用走行台車（22）、貯水皿用走行台車（22）に搭載される貯水皿（３）、貯水皿用走行台車（22）を載せて上下動する支持台（25) 、走行台車（４）と支持台（25) との間に取り付けたシリンダー（６）などからなっている。
【００１４】
走行台車（４）上に固定された中間床（23）は、斜めに建てられた２本の柱（24a 、24b)と垂直に建てられた４本の柱（24c 、24d 、24e 、24f)で支持されており、その上を貯水皿用走行台車（22）が走行することができるようになっているものである。
中間床（23）上を走行する貯水皿用走行台車（22）は、４個の車輪が取り付けられており、中間床（23）上を貯水皿（３）を載せてライン長手方向に移動することができるようにしたものである。また支持台（25) は、走行台車（４）上に固定された４個の支持具（26a 、26b 、26c 、26d)及びシリンダー（６）に上下できるように支持されている。
冷媒を貯留する貯水皿（３）は、上記実施例１に記載したものと同様なものである。
【００１５】
次に、上記エンボスロール装置の冷却装置の使用方法を図６を参照して説明する。
エンボスロール（１）及びラバーロール（２）を交換又は保守作業する必要が生じた場合、走行台車（４）をラインから直角方向に作業場所に引出し、シリンダー（６）を収縮して支持台（25) を貯水皿を載せた貯水皿用走行台車（22）の車輪が中間床（23）に接地するまで下げると、貯水皿用走行台車（22）が中間床（23）の上を走行することができるようになるので、手動又は他の駆動装置で二点鎖線の位置に移動し、交換又は保守作業をし、この作業を終了した後手動で実線の位置に戻し、シリンダー（６）を伸長して図４の元のラインの位置に上昇し、走行台車（４）を元のラインの位置に移動して作業を終了する。
【００１６】
なお、本発明は上記以外の点において上記ものに限定されることなく、本発明の要旨を逸脱しない限り種々の変更を加え得ることはもちろんである。
【００１７】
【発明の効果】
本発明は上記構成にしたことにより、次のような優れた効果を奏する。
（１）貯水皿の周囲の壁を間隔を空けて二重にし、内壁の高さを必要とする液面の高さに    し、外壁を内壁より高くし、給液口を内壁の中に給液できる位置に設けると共に、排    水口を内壁と外壁の間から排液できる位置に設けたので、給液量又は廃液量を調節し    なくても、冷媒の液面高さを常に一定にすることができると共に、外壁を内壁より高    くしたので、溶媒の飛沫が貯水皿の外に飛散することがない。
（２）貯水皿をエンボスロール及びラバーロールの直下からライン長手方向に移動する装    置を設けたことにより、エンボスロール及びラバーロールの交換又は保守作業をする    場合、貯水皿をライン長手方向に移動することができるため、これらのロールの直下    で作業をすることができるので、作業を能率的に行うことができる。
【図面の簡単な説明】
【図１】  本発明の一実施例のエンボスロール装置の冷却装置のハウジングを省略した正面図である。
【図２】  図１に示したものの側面図である。
【図３】  図１のエンボスロール装置の冷却装置を説明するための説明図である。
【図４】  本発明の他の実施例のエンボスロール装置の冷却装置のハウジングを省略した正面図である。
【図５】  図４に示したものの側面図である。
【図６】  図４のエンボスロール装置の冷却装置を説明するための説明図である。
【図７】  従来のエンボスロール装置の冷却装置を説明するための説明図である。
【符号の説明】
１  エンボスロール
２  ラバーロール
３  貯水皿
４  走行台車
５  冷媒
６  シリンダー
７  給液口
８  廃液口
９  給液側のバルブ
10  排液側のバルブ
11  ポンプ
12a 、12b ハウジング
13  内壁
14  外壁
15  貯水皿（３）をエンボスロール（１）及びラバーロール（２）の                      直下からライン長て方向に移動する装置
16a 、16b 、16c 、16d   支柱
17  平行四辺形リンク機構
18a 、18b   軸
19a 、19b   連結杆
20a 、20b 、20c 、20c   レバー
21a 、21b 、21c 、21d   支持ピン
22  貯水皿用走行台車連結杆
23  中間床
24a 、24b 、24c 、24d 、24e 、24f   柱
25  支持台
26a 、26b 、26c 、26d   支持具
27  プラスチックフィルム
31  レール
【図１】
0003665998.tif 000002
【図２】
0003665998.tif 000003
【図３】
0003665998.tif 000004
【図４】
0003665998.tif 000005
【図５】
0003665998.tif 000006
【図６】
0003665998.tif 000007
【図７】
0003665998.tif 000008